(57)【特許請求の範囲】
【請求項１】
第１及び第２の壁、及び開口部を有し、この開口部が、それぞれが前記第１及び第２の壁に、当該壁の上部に隣接して取り付けられた細長いフレキシブルな第１及び第２のファスナーストリップによって規定されるチャック付き袋であって、前記ファスナーストリップの一方は、溝を形成する形状部分を有し、前記ファスナーストリップの他方は、リブを形成する形状部分を有し、前記リブの一部分は、前記チャック付き袋の上部を閉じた際に前記溝内に受け入れられて保持され、前記ファスナーストリップの各々が、前記壁のそれぞれに接続された基部、及びこの基部に取り付けられたシール部材を有し、前記シール部材は、相補的なファスナーストリップの相補的なシール部材の一部分を形成する相補的なシール部とかみ合うように構成されたシール部を含み、前記ファスナーストリップの各々が、他方の前記ファスナーストリップの上縁に隣接する上縁を有し、前記チャック付き袋が、前記ファスナーストリップに装着されたスライダを有し、このスライダは、前記ファスナーストリップの長手方向の一方の向きに移動して、前記リブを前記溝から徐々に分離して前記チャック付き袋を開くことができ、逆向きに移動して、前記リブを前記溝内に保持された状態に徐々に戻して前記チャック付き袋を閉じることができるチャック付き袋において、
前記ファスナーストリップの一方の端部に近接したクレードルを備え、このクレードルは、単一の凹部を有し、前記シール部が相補的なシール部材の対応するシール部とかみ合ってシールする間に、前記スライダの基部を当該クレードル内に受け入れて保持するように寸法決め、構成、及び配置され、前記凹部の幅は前記スライダの長さより大きく、これにより前記スライダを前記クレードル内に保持し、前記クレードルは、前記凹部が有する２つの縁部のうち、前記ファスナーストリップの前記一方の端部から遠い方の縁部から延びるタブを有し、このタブは、前記スライダが前記クレードル内にある際に前記スライダの外縁に接することを特徴とするチャック付き袋。
【請求項２】
請求項１に記載のチャック付き袋において、前記タブは前記クレードルから約４５°の角度に延びて、前記スライダに接して前記スライダを前記クレードル内に保持することを特徴とするチャック付き袋。
【請求項３】
請求項１に記載のチャック付き袋において、前記スライダがさらに、
前記スライダ上に配置されたセパレータを備え、このセパレータは、前記スライダの上部に取り付けられて前記スライダから下向きに延びる近接部を有し、前記セパレータはさらに、前記リブが、前記溝を形成する形状部分中の前記溝内に保持される際に、前記スライダの上部と前記ファスナーストリップの上縁との間の第１空間内に存在する末端部を有し、
前記セパレータは、前記リブの前記溝からの選択的分離を促進するように構成され配置された６０°±３０°の角度を有する矢印形の先端を有し、
前記リブは、前記スライダが前記クレードル内にある際に、前記溝内に保持されたままで前記ファスナーストリップのシールを行う
ことを特徴とするチャック付き袋。
【請求項４】
請求項１に記載のチャック付き袋において、前記スライダが、前記ストリップ上に第１の進行終了停止位置及び第２の進行終了停止位置を有し、前記第１の進行終了停止位置は、前記チャック付き袋を閉じた際の停止位置であり、前記第２の進行終了停止位置は、前記チャック付き袋を開いた際の停止位置であることを特徴とするチャック付き袋。
【請求項５】
請求項１に記載のチャック付き袋において、前記クレードルの内部形状がＣ字形であり、このＣ字形の中に前記スライダを保持することを特徴とするチャック付き袋。
【請求項６】
請求項１に記載のチャック付き袋において、前記タブが前記クレードルから延びて、前記スライダを前記クレードル内に選択的に保持することを特徴とするチャック付き袋。
【請求項７】
袋を閉じるためのアセンブリにおいて、
前記袋の開口部の周縁部に固定可能な第１及び第２の細長いフレキシブルなファスナーストリップであって、前記ファスナーストリップの一方は、溝を形成する形状部分を有し、前記ファスナーストリップの他方は、リブを形成する形状部分を有し、前記リブの一部分は、前記溝内に受け入れられ保持されて前記ファスナーストリップどうしを結合し、前記ファスナーストリップの各々がシール部材を有し、前記シール部材は、相補的なファスナーストリップの相補的なシール部材の一部分を形成する相補的なシール部とかみ合うように構成されたシール部を含み、前記ファスナーストリップの各々が、他方の前記ファスナーストリップの上縁に隣接する上縁を有するファスナーストリップと；
前記ファスナーストリップに装着されたスライダであって、前記ファスナーストリップの長手方向の一方の向きに移動して、前記リブを前記溝から徐々に分離して前記ファスナーストリップどうしを分離することができ、逆向きに移動して、前記リブを前記溝内に保持された状態に徐々に戻して前記ファスナーストリップどうしを結合することができるスライダと；
前記スライダ内に配置されたセパレータであって、前記スライダに取り付けられた近接部、及び前記溝内に存在する末端部を有するセパレータと；
前記ファスナーストリップの一方の端部に近接したクレードルとを備え、このクレードルは、単一の凹部を有し、前記シール部が相補的なシール部材の対応するシール部とかみ合ってシールする間に、前記スライダの基部を当該クレードル内に保持するように寸法決め、構成、及び配置され、これにより、前記リブ及び前記溝をシールされて組み合った位置に留め、前記凹部の幅は前記スライダの長さより大きく、これにより前記スライダを前記クレードル内に保持し、前記クレードルは、前記凹部が有する２つの縁部のうち、前記ファスナーストリップの前記一方の端部から遠い方の縁部から延びるタブを有し、このタブは、前記スライダが前記クレードル内にある際に前記スライダの外縁に接することを特徴とする袋閉じ用アセンブリ。
【請求項８】
請求項７に記載のアセンブリにおいて、前記タブが前記クレードルから延びて、前記スライダを前記クレードル内に選択的に保持することを特徴とするアセンブリ。
【請求項９】
請求項７に記載アセンブリにおいて、前記ファスナーストリップの各々が、他方の前記ファスナーストリップの上部外壁と平行に配置された上部外壁、及びこの上部外壁から外向きに出てこの上部外壁に平行に配置された一対のフランジを有し、これらのフランジは、前記スライダ内に保持されるように寸法決め、構成、及び配置されていることを特徴とするアセンブリ。
【請求項１０】
第１及び第２の壁、及び開口部を有し、この開口部が、それぞれが前記第１及び第２の壁に、当該壁の上部に隣接して取り付けられた細長いフレキシブルな第１及び第２のファスナーストリップによって規定されるチャック付き袋であって、前記ファスナーストリップの一方は、溝を形成する形状部分を有し、前記ファスナーストリップの他方は、リブを形成する形状部分を有し、前記リブの一部分は、前記チャック付き袋の上部を閉じた際に前記溝内に受け入れられて保持され、前記ファスナーストリップの各々が、前記第１及び第２の壁のそれぞれに接続された基部、及びこの基部に取り付けられたシール部材を有し、前記シール部材は、相補的なファスナーストリップの相補的なシール部材の一部分を形成する相補的なシール部とかみ合うように構成されたシール部を含み、前記ファスナーストリップの各々が、他方の前記ファスナーストリップの上縁に隣接する上縁を有し、前記チャック付き袋が、前記ファスナーストリップに装着されたスライダを有し、このスライダは、前記ファスナーストリップの長手方向の一方の向きに移動して、前記リブを前記溝から徐々に分離して前記チャック付き袋を開くことができ、逆向きに移動して、前記リブを前記溝内に保持された状態に徐々に戻して前記チャック付き袋を閉じることができるチャック付き袋において、
前記壁の各々が、当該壁から外向きに出て当該壁の上縁に平行に延びるフランジを有し、このフランジは、前記スライダ内に受け入れられるように構成及び配置され、
前記チャック付き袋がさらに、前記ファスナーストリップの一方の端部に近接したクレードルを備え、このクレードルは、単一の凹部を有し、前記シール部が相補的なシール部材の対応するシール部とかみ合ってシールする間に、前記スライダの基部を当該クレードル内に受け入れて保持するように寸法決め、構成、及び配置され、前記凹部の幅は前記スライダの長さより大きく、これにより前記スライダを前記クレードル内に保持し、前記クレードルは、前記凹部が有する２つの縁部のうち、前記ファスナーストリップの前記一方の端部から延びるタブを有し、このタブは、前記スライダが前記クレードル内にある際に前記スライダの外縁に接することを特徴とするチャック付き袋。
【請求項１１】
請求項１０に記載のチャック付き袋において、前記スライダは前記ストリップ上に第１の進行終了停止位置及び第２の進行終了停止位置を有し、前記第１の進行終了停止位置は、前記チャック付き袋を閉じた際の停止位置であり、前記第２の進行終了停止位置は、前記チャック付き袋を開いた際の停止位置であることを特徴とするチャック付き袋。
【請求項１２】
請求項１０に記載のチャック付き袋において、前記チャック付き袋の各側壁が、当該側壁から延びる単一のフランジを有することを特徴とするチャック付き袋。
【請求項１３】
袋を閉じるためのアセンブリにおいて、
前記袋の開口部の周縁部に固定可能な第１及び第２の細長いフレキシブルなファスナーストリップであって、前記ファスナーストリップの一方は、溝を形成する形状部分を有し、前記ファスナーストリップの他方は、リブを形成する形状部分を有し、前記リブの一部分は、前記溝内に受け入れられ保持されて前記ファスナーストリップをまとめて保持し、前記ファスナーストリップの各々がシール部材を有し、前記シール部材は、相補的なファスナーストリップの相補的なシール部材の一部分を形成する相補的なシール部とかみ合うように構成されたシール部を含み、前記ファスナーストリップの各々が、他方の前記ファスナーストリップの上縁に隣接する上縁を有するファスナーストリップと；
前記ストリップに装着されたスライダであって、前記ファスナーストリップの長手方向の一方の向きに移動して、前記リブを前記溝から徐々に分離して前記ファスナーストリップどうしを分離することができ、逆向きに移動して、前記リブを前記溝内に保持された状態に徐々に戻して前記ファスナーストリップどうしを結合することができるスライダとを備え、
前記ファスナーストリップの各々が、他方の前記ファスナーストリップの上部外壁と平行に配置された上部外壁、及びこの上部外壁から外向きに出てこの上部外壁に平行に配置された一対のフランジを有し、これらのフランジは、前記スライダ内に保持されるように寸法決め、構成、及び配置され、
前記アセンブリがさらに、前記ファスナーストリップの一方の端部に近接したクレードルを備え、このクレードルは、単一の凹部を有し、前記シール部が相補的なシール部材の対応するシール部とかみ合ってシールする間に、前記スライダの基部を当該クレードル内に受け入れて保持するように寸法決め、構成、及び配置され、前記凹部の幅は前記スライダの長さより大きく、これにより前記スライダを前記クレードル内に保持し、前記クレードルは、前記凹部が有する２つの縁部のうち、前記ファスナーストリップの前記一方の端部から遠い方の縁部から延びるタブを有し、このタブは、前記スライダが前記クレードル内にある際に前記スライダの外縁に接することを特徴とする袋閉じ用アセンブリ。
【請求項１４】
請求項１３に記載のアセンブリにおいて、前記ファスナーストリップの各々が、その長手方向の両端で互いに超音波シールされ、かつ前記チャック付き袋の側縁部に近接した所で前記チャック付き袋の前記壁に超音波シールされることを特徴とするアセンブリ。
【請求項１５】
請求項１３に記載のアセンブリにおいて、前記スライダが一対の内向きチャネルを有し、これらの内向きチャネルが、前記フランジを摺動自在に受け入れるためのスロットを形成し、このスロット内に前記フランジを保持することを特徴とするアセンブリ。
【請求項１６】
請求項１３に記載のアセンブリにおいて、前記スライダが一対の内向きチャネルを有し、これらの内向きチャネルが、対向して配置された内向きショルダー部材を備え、これらの内向きショルダー部材は、当該内向きショルダー部材間にギャップを有し、前記スライダの底部上に配置されていることを特徴とするアセンブリ。
【請求項１７】
請求項１６に記載のアセンブリにおいて、前記内向きショルダー部材の各々が、前記ファスナーストリップを前記ギャップ内に導くように配置された斜面を有することを特徴とするアセンブリ。
【請求項１８】
請求項１３に記載のアセンブリにおいて、前記チャック付き袋の各側壁が、当該側壁から延びる単一のフランジを有することを特徴とするアセンブリ。
【請求項１９】
請求項１３に記載のアセンブリにおいて、前記クレードルが、前記スライダを前記クレードル内に選択的に保持するための、前記クレードル内の凹部及びこの凹部から延びる少なくとも１つのタブを備えていることを特徴とするアセンブリ。
【請求項２０】
請求項１３に記載のアセンブリにおいて、前記クレードルの、前記スライダの基部を受け入れる部分の幅が前記スライダの長さより少し大きく、製造中の前記スライダの長さの変動を許容しつつ、前記スライダを前記クレードル内に保持することを特徴とするアセンブリ。
【請求項２１】
チャック付き袋で使用される細長いフレキシブルなファスナーストリップであって、相補的なファスナーストリップと対をなす一方のファスナーストリップにおいて、
基部と；
前記基部に取り付けられたシール部材であって、相補的なファスナーストリップの相補的なシール部材の一部分を形成する相補的なシール部とかみ合うように構成された複数のシール部を含むシール部材と；
前記複数のシール部の第１シール部から延びる少なくとも１つのフィンガー部材であって、前記相補的なシール部材の第１の相補的な部分とかみ合ってシールするよう構成されたフィンガー部材と；
前記シール部を選択的にかみ合わせ、選択的に離すためのスライダと；
前記ファスナーストリップの一方の端部に近接したクレードルとを備え、前記クレードルは、単一の凹部を有し、前記シール部が前記相補的なシール部材の対応するシール部とかみ合ってシールする間に、前記スライダの基部を当該クレードル内に受け入れて保持するように寸法決め、構成、及び配置され、前記凹部の幅は前記スライダの長さより大きく、これにより前記スライダを前記クレードル内に保持し、前記クレードルは、前記凹部が有する２つの縁部のうち、前記ファスナーストリップの前記一方の端部から遠い方の縁部から延びるタブを有し、このタブは、前記スライダが前記クレードル内にある際に前記スライダの外縁に接することを特徴とするファスナーストリップ。
【請求項２２】
請求項２１に記載のファスナーストリップにおいて、前記タブが前記クレードルから延びて、前記スライダを前記クレードル内に選択的に保持することを特徴とするファスナーストリップ。
【請求項２３】
請求項２１に記載のファスナーストリップにおいて、前記少なくとも１つのフィンガー部材が、前記シール部材の前記第１シール部から横向きに延び、かつ前記第１シール部の１つ以上の部分から上向きに延びることを特徴とするファスナーストリップ。
【請求項２４】
請求項２１に記載のファスナーストリップにおいて、複数の前記フィンガー部材の各フィンガー部材が、前記第１シール部から、前記複数のフィンガー部材の他のフィンガー部材に対して異なる向きに延びることを特徴とするファスナーストリップ。
【請求項２５】
請求項２１に記載のファスナーストリップにおいて、前記少なくとも１つのフィンガー部材が、前記スライダが前記ファスナーストリップ上に保持されている際に存在する前記ファスナーストリップ上の領域内で、前記第１の相補的な部分とかみ合ってシールすることを特徴とするファスナーストリップ。
【請求項２６】
請求項２１に記載のファスナーストリップにおいて、さらに、前記ファスナーストリップの上縁に配置された細長いガイドレールを備え、このガイドレールは、前記スライダを前記ファスナーストリップ上に保持するように構成された少なくとも１つの突起を含むことを特徴とするファスナーストリップ。
【請求項２７】
第１及び第２のフレキシブルな壁と；
それぞれが前記第１及び第２の壁に、これらの壁によって形成される開口部に隣接して取り付けられた相補的なファスナーストリップであって、前記相補的なファスナーストリップの各々が、基部、及びこの基部に取り付けられたシール部材を備え、前記シール部材の各々が、前記相補的なファスナーストリップの前記シール部材の一部分を形成する相補的なシール部とかみ合うよう構成された複数のシール部を備えている相補的なファスナーストリップと；
前記相補的なファスナーストリップの第１ファスナーストリップ用の少なくとも１つのフィンガー部材であって、前記複数のシール部の第１シール部から延び、前記相補的なファスナーストリップの前記シール部材の第１の相補的な部分とかみ合ってシールするように構成されたフィンガー部材と；
スライダとを備えたチャック付き袋において
前記スライダが、
上部壁、及びこの上部壁から下向きかつほぼ垂直に延びる側壁を有する細長い本体と；
前記側壁の下端にある内向きフランジとを備え、これらの内向きフランジは、当該内向きフランジ間にギャップを規定し、このギャップは、前記相補的なファスナーストリップの第１の前記シール部材の前記第１シール部と前記シール部材の前記第１の相補的な部分とを互いに押し付け、これにより少なくとも１つの前記フィンガー部材が前記相補的な部分とかみ合ってシールするように構成され、
前記相補的なファスナーストリップの少なくとも一方がさらに、前記相補的なファスナーストリップの一端の付近にクレードルを有し、このクレードルは、単一の凹部を有し、前記シール部が前記相補的なシール部材の対応する前記シール部とかみ合ってシールする間に、前記スライダの基部を当該クレードル内に受け入れて保持するように寸法決め、構成、及び配置され、前記凹部の幅は前記スライダの長さより大きく、これにより前記スライダを前記クレードル内に保持し、前記クレードルは、前記凹部が有する２つの縁部のうち、前記ファスナーストリップの前記一方の端部から遠い方の縁部から延びるタブを有し、このタブは、前記スライダが前記クレードル内にある際に前記スライダの外縁に接することを特徴とするチャック付き袋。
【請求項２８】
請求項２７に記載のチャック付き袋において、前記少なくとも１つのフィンガー部材が、前記シール部材の前記第１シール部から横向きに延び、かつ前記第１シール部の１つ以上の部分から上向きに延びることを特徴とするチャック付き袋。
【請求項２９】
請求項２７に記載のチャック付き袋において、複数の前記フィンガー部材の各フィンガー部材が、前記複数のフィンガー部材の他のフィンガー部材に対して異なる向きに延びることを特徴とするチャック付き袋。
【請求項３０】
請求項２７に記載のチャック付き袋において、前記少なくとも１つのフィンガー部材が、前記スライダが前記ファスナーストリップ上に保持されている際に存在する前記ファスナーストリップ上の領域内で、前記第１の相補的な部分とかみ合ってシールすることを特徴とするチャック付き袋。
【請求項３１】
請求項２７に記載のチャック付き袋において、前記内向きフランジが前記側壁にほぼ垂直であることを特徴とするチャック付き袋。
【請求項３２】
請求項２７に記載のチャック付き袋において、前記側壁が前記相補的なファスナーストリップより下方に延びるように構成されていることを特徴とするチャック付き袋。
【請求項３３】
請求項２７に記載のチャック付き袋において、前記相補的なファスナーストリップどうしが部分的にかみ合った状態である際に、前記内向きフランジによって規定される前記ギャップが、前記かみ合った相補的なファスナーストリップどうしの合計幅より小さく、これにより、前記少なくとも１つのフィンガー部材が、前記第１の相補的な部分に押し付けられてかみ合ってシールすることを特徴とするチャック付き袋。
【請求項３４】
請求項２７に記載のチャック付き袋において、前記第１の相補的な部分を前記相補的なファスナーストリップ上の領域内でかみ合わせてシールする手段が、前記相補的なファスナーストリップ上に保持された前記スライダを備えていることを特徴とするチャック付き袋。
【請求項３５】
チャック付き袋で使用される細長いフレキシブルなファスナーストリップであって、相補的なファスナーストリップと対をなす一方のファスナーストリップにおいて、
基部と；
前記基部に取り付けられたシール部材であって、相補的なファスナーストリップの相補的なシール部材の一部分を形成する相補的なシール部とかみ合うように構成された複数のシール部を含むシール部材と；
前記複数のシール部の第１シール部から延びる少なくとも１つのフィンガー部材であって、前記相補的なシール部材の第１の相補的な部分とかみ合ってシールするよう構成されたフィンガー部材と；
前記シール部を選択的にかみ合わせ、選択的に離すためのスライダと；
前記ファスナーストリップの一方の端部に近接したクレードルであって、このクレードルは、単一の凹部を有し、前記シール部が前記相補的なシール部材の対応するシール部とかみ合ってシールする間に、前記スライダの基部を当該クレードル内に受け入れて保持するように寸法決め、構成、及び配置され、前記凹部の幅は前記スライダの長さより大きく、これにより前記スライダを前記クレードル内に保持し、前記クレードルは、前記凹部が有する２つの縁部のうち、前記ファスナーストリップの前記一方の端部から遠い方の縁部から延びるタブを有し、このタブは、前記スライダが前記クレードル内にある際に前記スライダの外縁に接するクレードルと；
前記ファスナーストリップの前記一方の端部にあり、前記チャック付き袋及び前記ストリップの漏れを防止するためのスポットシールと
を備えていることを特徴とするファスナーストリップ。
【請求項３６】
請求項３５に記載のファスナーストリップにおいて、前記タブが前記クレードルから延びて、前記スライダを前記クレードル内に選択的に保持することを特徴とするファスナーストリップ。
【請求項３７】
請求項３５に記載のファスナーストリップにおいて、前記クレードルが、前記スライダの長さより大きい長さを有して、前記スライダを前記クレードル内に保持することを特徴とするファスナーストリップ。
【請求項３８】
請求項３５に記載のファスナーストリップにおいて、前記タブが前記クレードルから約４５°の角度に延びて、前記スライダに接して前記スライダを前記クレードル内に保持することを特徴とするファスナーストリップ。
【請求項３９】
請求項３５に記載のファスナーストリップにおいて、前記少なくとも１つのフィンガー部材が、前記シール部材の前記第１シール部から横向きに延び、かつ前記第１シール部の１つ以上の部分から上向きに延びることを特徴とするファスナーストリップ。
【請求項４０】
請求項３５に記載のファスナーストリップにおいて、複数の前記フィンガー部材の各フィンガー部材が、前記第１シール部から、前記複数のフィンガー部材の他のフィンガー部材に対して異なる向きに延びることを特徴とするファスナーストリップ。
【請求項４１】
請求項３５に記載のファスナーストリップにおいて、前記少なくとも１つのフィンガー部材が、前記スライダが前記ファスナーストリップ上に保持されている際に存在する前記ファスナーストリップ上の領域内で、前記第１の相補的な部分とかみ合ってシールすることを特徴とするフィンガーストリップ。
【発明の詳細な説明】
【技術分野】
【０００１】
本発明は一般にチャック付き容器に関するものであり、特に、このチャック付き容器に組み込むことのできるファスナーストリップ及びスライダに関するものである。
【背景技術】
【０００２】
チャック付き袋は技術的に周知である。従来のチャック付き袋は、側壁の上縁に沿って装着された相補的なファスナーストリップを有するフレキシブル（柔軟）な側壁、及びその上に装着したスライダを有する。このスライダはファスナーストリップの長手方向に沿って進む。各ファスナーストリップは、対向するファスナーストリップのシール（封止）部材と相補的な形状を有するシール部材を有する。スライダがファスナーストリップに沿って一方の向きに進むと、対向するファスナーストリップのシール部材どうしは、スライダの一端に配置された閉じゲートにより、かみ合って連結状態になり、これにより、ほぼ漏止めのシール（封止）を提供する。スライダがファスナーストリップに沿って逆向きに進むと、スライダの反対側の端にあってスライダの一部分を形成する分離機構によってファスナーストリップどうしが離れ、シールを断ち、チャック付き容器の内部に手を入れることを可能にする。従来のチャック付き容器には対処する必要のある欠点が存在し、これらの欠点は例えば、スライダのファスナーストリップへの固定配置、袋からのスライダの不用意な離脱、及びファスナーストリップを漏れ止めシールすることを含む。本発明は、チャック付き容器、特にチャック付き袋に組み込むことのできるファスナーストリップ及びスライダに対する改良を提供する。
【発明の概要】
【０００３】
第１及び第２壁を有し、これらの第１及び第２壁の上部付近に取り付けられたそれぞれの細長いフレキシブルなファスナーストリップによって規定される開口部を有するチャック付の袋を開示する。一方のファスナーストリップは、溝を形成する形状部分を有し、他方のファスナーストリップは、リブを形成する形状部分を有し、袋の上部を閉じると、このリブの部分は溝内に受け入れられて保持される。各ファスナーストリップは、それぞれの壁に接続された基部（ベース）を有し、各ストリップは、他のストリップの上縁に隣接した上縁を有する。この袋は、ファスナーストリップ上に装着したスライダを有し、このスライダは、ファスナーストリップの長手方向の一方の向きに移動して、リブを溝から徐々に分離して袋を開けることができ、そして逆向きに移動して、リブ部分を溝内に保持された状態に徐々に戻して袋を閉じることができる。従来技術に対する改良点は、ファスナーストリップの一端の付近に設けたクレードルであり、このクレードルは、その内部にスライダの基部を受け入れて保持するように寸法決め、構成、及び配置され、ファスナーストリップは相補的なシール部材の対応するシール部分とかみ合う。その結果、シール部材どうしがかみ合って閉じたままになって、漏れ止めシールを提供する。１つの好適例では、クレードルがタブを有し、このタブは、このクレードルから約４５°の角度に延びて、スライダに接触してスライダをクレードル内に保持する。好適例では、クレードルがスライダより長く、このため、スライダをクレードル内に保持したままで、従ってファスナーストリップをシールしたままで、製造中のスライダのサイズの変動を許容する。このクレードルがタブを有し、このタブは、このクレードルから約４５°の角度に延びて、スライダに接触してスライダをクレードル内に保持することが好ましい。好適例では、クレードルはその内部形状がほぼＣ字形であり、このＣ字形の中にスライダを保持する。このタブは、クレードルから４５°に延びることが好ましいが、１５〜３０°の角度に延びてスライダに接し、スライダをクレードル内に保持することもできる。１つの好適例では、タブはスライダ内のセパレータに接することができる。クレードルは少なくともその一端が湾曲して、その内部にスライダを保持することが好ましい。クレードルは、その両端が湾曲していることが好ましい。
【０００４】
従って、本発明の目的は、ファスナーが容易に開くが、シール時はほぼ漏れ止めになるスライドファスナーを製造することにある。
【０００５】
本発明の追加的目的は、子供に安全な機能を提供するために、袋から取り外すことが極めて困難なスライダまたはスライドファスナーを提供することにある。
【０００６】
本発明の他の目的は、スライダを内部に受け入れて選択的に保持するクレードルを有し、これにより、スライダがファスナーストリップ上を完全に閉じる位置まで移動すると、スライダファスナーの両端がほぼ漏れ止めになるファスナーストリップを提供することにある。
【図面の簡単な説明】
【０００７】
【図１】本発明のファスナーの側面を部分的に切り取った垂直断面図であり、オス部及びメス部、及びチャック付の袋の外壁上に配置されたガイドリブを示す。
【図２】本発明のスライダの上面図である。
【図３】本発明のスライダの底面図である。
【図４】図２及び３のスライダの正面断面図であって、その上面から下方へ延びるセパレータを示す。
【図５】図２〜４のスライダの背面断面図である。
【図６】図３の直線ＢＢに沿った垂直断面図であり、図２〜５のスライダの内部構成を示す。
【図７】図１のチャック付き容器の正面斜視図である。
【図８】図１の袋の壁から延びるオス部及びメス部の垂直断面図であり、ファスナー上に配置され、袋の壁から横方向に延びる下部トラックによって定位置に保持されるファスナー、並びにオス部とメス部との間に延びるセパレータを有する。
【図９】図１０の袋及びファスナーストリップの垂直断面図であり、特に、かみ合ったオス部及びメス部、及び下部トラックによってファスナーストリップに取り付けられたスライダを示す。
【図１０】本発明によるチャック付き容器の斜視図である。
【図１１】本発明の実施例による好適なファスナーストリップの部分断面図である。
【図１２】本発明の他の実施例による好適なファスナーストリップの斜視図である。
【図１３】図１２の好適なスライダの正面図である。
【図１４】図１２の好適なスライダの背面図である。
【図１５】図１２の好適なスライダの底面図である。
【図１６】好適なファスナーストリップ及び好適なスライダの部分断面図であり、本発明によるその動作を例示する。
【図１７】好適なファスナーストリップ及び好適なスライダの部分断面図であり、その部分的に開いた位置における動作を例示する。
【図１８】図１のファスナーの代案実施例の部分断面図であり、オス部及びメス部、及びこれらの外壁上に配置されたガイドリブを示す。
【図１９】容器の代案実施例の垂直断面図であり、特に、ファスナーストリップの第１端に近接したクレードルを示し、このクレードルは、スライダがファスナーストリップの第１端に位置する際に、このスライダの基部を受け入れて保持するように寸法決め、構成、及び配置されている。
【発明を実施するための形態】
【０００８】
以上の図面の説明は単に本発明を説明及び例示するものであり、本発明はこれらに限定されず、前に開示した範囲以外に、本発明から逸脱することなしに変更及び変形を加えることができる。
【０００９】
図１に示すように、第１壁１２及び第２壁１４、及び開口部１６を有するチャック付の袋１０が、それぞれ第１壁１２及び第２壁１４に取り付けられ、それぞれの壁の上部２２及び２４に隣接する、それぞれ第１及び第２の細長いフレキシブル・ストリップ１８及び２０によって規定される。一方のファスナーストリップ２０は、溝２８を形成する形状部分２６を有する。他方のファスナーストリップ１８はリブ３２を形成する形状部分３０を有し、袋１０を閉じると、リブの一部分３４が溝２８内に受け入れられて保持される。各ストリップ１８及び２０は、それぞれの壁１２及び１４に接続された基部３８及び４８を有し、各ストリップ１８及び２０はさらに、それぞれ他方のストリップ２０及び１８の縁に隣接するそれぞれの上縁４２及び４４を有する。
【００１０】
図１〜７に示すように、袋１０はストリップ１８及び２０に装着されたスライダ４６を有し、スライダ４６は、ストリップ１８及び２０の長手方向の一方の向き４８に移動して、リブ３２を溝２８から徐々に分離して袋１０を開くことができる。スライダ４６は逆向き５０に移動して、リブ３２を溝２８内に保持された状態に徐々に戻して袋を閉じることができる。
【００１１】
図１〜７に示すように、スライダ４６はさらに上部５２を有する。スライダ４６はさらに、その内部に位置するセパレータ５４を有し、セパレータ５４は、スライダ４６の上部５２に取り付けられて下方へ延びる近接部５６、及びリブ部分３２が部分２６の溝２８内に保持される際にスライダの上部と溝２８の上縁との間の第１空間７０内に存在する末端部５８を有する。セパレータ５４は矢印形の先端６０を有し、先端６０は、リブ３２の溝２８からの選択的分離を促進するように構成及び配置、即ち位置決め及び寸法決めされている。
【００１２】
好適な実施例では、セパレータが２．３mm±０．３mmの長さを有する。セパレータ５４は、スライダ４６と一体に形成され、全体が１つの均質なプラスチック製であり、射出成形されたＰＯＭオセテル（ocetel）岩またはミネソタ州WinonaにあるＲＴＰ社によって市販されているもの、あるいは潤滑用の添加剤を伴うポリプロピレン製であることが好ましい。
【００１３】
好適な実施例では、スライダは、ポリエチレン、ポリカーボネート、ポリスチレン、アクリルニトリル・ブチレンスチレン、あるいは他の一般に射出成形で形成されるプラスチック要素で構成される。
【００１４】
本発明の他の特徴として、図１に示すように、外壁１２、１４は一組のフランジ６２及び６４、あるいはこれらの外壁から外向きに延び、外壁の上縁２２、２４に平行に延びるトラックを有する。フランジ６２及び６４はスライダ４６内に伸縮自在に受け入れられるように寸法決めされ、これについては本明細書でさらに説明する。
【００１５】
図２〜６に見られるように、スライダ４６は上部５２を有する。図４に見られるように、末端部５８を有するセパレータ５４が上部５２から下方に延びる。セパレータ５４の末端部５８は、その上に装着された矢印形の先端６０を有する。この矢印は６０°±１０°の角度を有し、この角度は、部分２６の溝２８の、その内部に含まれる部分３０のリブ３２による開口を促進する。
【００１６】
好適な実施例では、スライダ４６の上部５２は厚さ約１．２mmである。末端部５８は、上部５２の内面６６から約２．３mm延びる。スライダ４６は、約８．６mmの高さ、１．１５mmの端部の厚さ、１４．８mmの長さ、及び約１mmの矢印形の先端６０の高さを有することが好ましい。
【００１７】
好適な実施例では、スライダ４６は一連のグリップリブ６８を有し、これらのグリップリブ６８は、それぞれがスライダ４６の側縁部７１及び７２に沿って垂直に配置されている。この好適な実施例では、グリップリブ６８が約１．２５mmの半径を有する。
【００１８】
好適な実施例では、スライダ４６が内部チャンバ７０を有し、内部チャンバ７０は前端７３及び後端７４に垂直壁を有し、かつ９．９mmの半径を有する曲面状の側壁７６及び７８を有する。
【００１９】
図５に最も良く見られるように、スライダ４６は中心に配置されたギャップ８０を有する。好適な実施例では、ギャップ８０が幅１．１５mmである。左右の底面８２及び８４は幅約２．５mmであり、斜面８６及び８８を有する。斜面８６及び８８は約０．８mmであり、左底面８２及び右底面８４に対して４５°の角度で傾斜している。ギャップ８０は、リブ３２を受け入れ、リブ３２をチャンバ７０内に保持するよう設計されている。
【００２０】
これに加えて、図７及び１１に見られるように、チャンバ７０も外部フランジ６２及び６４を受け入れるように設計され、これらはチャンバ７０内に保持されて、スライダ４６をファスナーストリップ１８及び２０上に保持する。好適な実施例では、スライダ４６をファスナーストリップ１８及び２０から取り外すには、少なくとも３ポンド、好適には５ポンドの力を必要とする。
【００２１】
さらに図７に見られるように、スライダ４６は第１の進行終了停止位置９０を有し、ここでは袋１０が閉位置にありファスナーストリップ１８と２０とがかみ合い、スライダ４６はさらに第２の進行終了停止位置９２を有し、ここではファスナーストリップ１８と２０とが互いに分離されて、袋１０からの物の取り出し及び袋内への物の挿入を可能にする。
【００２２】
図７にさらに見られるように、ファスナーストリップ１８及び２０は手前の端部１００及び末端部１０２で互いに超音波シールされ、かつ袋１０の側縁部１０６及び１０８に近接した所で袋の壁１２及び１４に超音波シールされる。この超音波シールは、ファスナーストリップ１８及び２０が開くことを防止し、ファスナーストリップ１８及び２０が開いている際に袋１０が裂けることを防止する。
【００２３】
図５に戻れば、スライダ４６内に内向きのチャネル（通路）１０３及び１０４があり、これらのチャネルは、フランジ６２及び６４を摺動（スライド）自在に受け入れ、フランジ６２及び６４をスロットまたはギャップ８０内に保持するように寸法決め及び位置決めされている。スライダ４６の底部には、一対の内向きのショルダー部材１１０及び１１２があり、これらの間にギャップ８０がある。ショルダー部材１１０及び１１２は、ファスナーストリップ１８及び２０をギャップ８０に導くための斜面８６及び８８を有する。
【００２４】
同様に、図８に示すように、部分２６は溝２８を有する。溝２８は、内向きかつ下向きに延びる返し付き部材３４ｂ及び４４ｂの一対のアーム２８ｂ及び２８ｃで形成され、これらの間に、オス部３２を受け入れるように寸法決めされたギャップ２８ｄを有する。返し３２ｂ及び３２ｃは、オス部３２が伸縮自在に溝２８内に挿入されるとフック３４ｂ及び４４ｂとかみ合うように、寸法決め、構成、及び配置されている。溝２８及びファスナー１０は、返し３２ｂ及び３２ｃ、並びにファスナー３２をその中に挿入できるように十分フレキシブルでなければならない。従って、アーム２８ｂ及び２８ｃは、こうした挿入を可能にするのに十分なほどフレキシブルであるが、返し３２ｂ及び３２ｃとかみ合うとファスナーのオス部３２を溝２８内に保持するのに十分なほど堅い。同様に、アーム２８ｂ及び２８ｃは、ファスナーのオス部３２を溝２８から取り外すことを決めた際に、こうした取り外しを可能にするのに十分なほどフレキシブルである。なお、これについては、返し３２は、返し３４ｂよりサイズが大きく、かつより大きな下向き角を有して、袋１０内の物がファスナー１６をより押し開きにくくする。
【００２５】
図８及び９に最も良く見られるように、フランジ６２及び６４は袋１０の外壁１２及び１４上に形成される。袋１０はもちろん、ダイを通して押し出した熱可塑性フィルムで形成される。図９にさらに見られるように、セパレータ５４は２．３mm±０．３mmの長さを有する。スライダ４６は、そのセパレータ５４の近接部５６を、スライダ４６の内面の上部５２に取り付けられ、かつスライダ４６内の第１空間７０内にある末端部５８を有する。
【００２６】
ここで図１０を参照しながら、袋、あるいはより一般的に、図７に示す容器１０と同様のチャック付き容器２００を例示する。図に示すように、袋２００は、壁１２、１４の側縁部２０２ｂ、２０２ｃに沿ってシールされた壁２０２、２０４を備えて開口端のある容器を形成する。線状低密度ポリエチレン（ＬＬＤＰＥ）、低密度ポリエチレン（ＬＤＰＥ）、ナイロン・ポリプロピレン（ＰＰ）、またはポリエチレン・テレフタレート（ＰＥＴ）のような現在技術において通常使用される材料を用いて、壁２０２、２０４を縁２０５及び２０５ｂと共に形成する。本発明による相補的なファスナーストリップ２０６、２０８は、壁２０２、２０４の上縁に沿って装着される。現在好適な実施例では、ファスナーストリップ２０６、２０８は、押し出し法によって壁２０２、２０４と一体に、壁２０２、２０４と同じ材料で形成される。しかし、本発明はこのことに限定されず、当業者にとって既知の他の技術を用いて、ファスナーストリップ２０６、２０８をこれらに対応する壁２０２、２０４に取り付けることができる。本発明によるスライダ２１０（ポリエチレン、ポリカーボネート、ポリスチレン、アクリルニトリル・ブチレンスチレン、あるいは射出成形で形成されるプラスチック要素の製造に一般に用いられる他の材料で構成されることが好ましい）は、ファスナーストリップ２０６、２０８上に配置される。現在技術では既知のように、スライダ２１０は、図に示すように、ファスナーストリップ２０６、２０８の長手方向に沿って、第１または開の向き２１２にスライド（摺動）し、あるいはその逆に、第２または閉の向き２１４にスライドすることができる。ファスナーストリップ２０６、２０８に沿ったスライダ２１０の進行は、手前の端２１６では第１停止位置２１８によって制限され、末端部２２０では第２停止位置２２２によって制限される。実際には、停止位置２１８、２２２は、超音波シールのような既知の技術を用いてファスナーストリップ２０６、２０８どうしを融合することによって形成される。
【００２７】
ここで図１１に、ファスナーストリップ２０６、２０８のある他の好適な実施形態の部分断面図を示す。これらのストリップは図１０の袋２００で用いることができる。一般に、図１２に示す種々の構成要素の断面形状は、ファスナーストリップ２０６、２０８の長手方向の全長に延びる。図に示すように、各ファスナーストリップ２０６、２０８は、基部２３０、２３２、及びこれらの上に形成されたシール部材２３４、２３６を、好適には連続して一体化された様式で備えている。現在好適な実施例では、各ファスナーストリップ２０６、２０８は、袋２００のそれぞれに対応する壁３０２、３０４の上縁に装着される。各シール部材２３４、２３６は複数の相補的なシール部２３８、２４０を備え、これらは互いにかみ合った状態に結合されると（図１２参照）、袋２００にほぼ漏れ止めのシールをもたらす。シール部２３８、２４０は、互いに完全にかみ合うと、シール部材２３４、２３６と組み合う形状を有することが望ましい。現在技術で既知のように、相補的なシール部２３８、２４０の相互嵌合は、シール部材２０６、２０８が完全にかみ合うと、ファスナーストリップの長手方向のほぼ全長に沿って続く複数のシール点を与える。例示目的で相補的なシール部２３８、２４０の特定形状を示しているが、本発明は図に示す形状に限定されない。
【００２８】
図１１にさらに示すように、プロファイル２２４は２つのファスナーストリップ２０６、２０８を有し、これらは上向きに延びるガイドレール２２６、２２８を備えていることが好ましい。現在好適な実施例では、ガイドレール２２６、２２８はスライダをファスナーストリップ２０６、２０８上に保持する働きをする。この目的のために、各ガイドレール２２６、２２８は突起２３０、２３２を備えていることが好ましい。図１１に示す例では、各突起２３０、２３２は外向きフランジを備えているが、内向きフランジ、内向きフランジと外向きフランジとの組合せ、あるいはほぼ円形の形状のような他の形状も同等に用いることができる。さらに、本発明はガイドレール２２６、２２８の特定の実現に限定されず、より通常のガイドレール形状（例えば、基部２３０、２３２の反対側の外向き面に沿った形状）を同様に用いることができる。
【００２９】
本発明の他の態様では、第１シール部材２３４の複数のシール部２３８の１つが追加的に、１つ以上のフィンガー部材２４２を備えている。フィンガー部材２４２は、第１シール部材２３４のみのシール部２３８の１つのみの一部分を形成するように示しているが、第１シール部材２３４の他のシール部２３８にも、あるいはこれに加えて、第２シール部材２３６のシール部２４０の１つ以上にも、追加的なフィンガー部材を同等に組み込むことができることは明らかである。現在好適な実施例では、１つ以上のフィンガー部材２４２を、複数のシール部２３８の最下部のシール部に組み込む。さらに、各フィンガー部２４２は、当該フィンガー部が形成されているシール部に対して横向き及び／または部分的に上向きに延びることが好ましい。さらに、２つ以上のフィンガー部材２４２を用いる場合は、各フィンガー部材２４２は他に対して異なる角度に延びることが好ましい。特に図１７を参照して以下でより詳細に説明するように、フィンガー部材２４２は、ファスナーストリップ２０６、２０８が部分的にかみ合った状態に維持される際に、即ち、ファスナーストリップ２０６、２０８の長手方向の全長に沿った点のうち、スライダ３００の分離３１２がファスナーストリップ２０６、２０８の外れを生じさせる点で、第２ファスナーストリップ２０８のシール部材２３６の相補的な部分とかみ合ったシールをもたらす。
【００３０】
ここで図１２〜１７を参照しながら、本発明による好適なスライダ３００をさらに例示する。一般に、スライダ３００は、上壁３０４、及び上壁３０４から下向きに延びる側壁３０６、３０８を有する細長い本体３０２を備えている。側壁３０６、３０８は上壁３０４に対してほぼ垂直に延びることができるが、これらは上壁３０４に対して角度をなすこともでき、本発明の１つの実施例では（図１２〜１７に最も良く示すように）、これらの側壁は、上壁３０４に対する直交方向から内向きに約２度傾斜していることが好ましい。スライダ３００の手前の端部３０１に前壁３１０を設け、同様に、末端部３０３に後壁３０５を設ける。前壁及び後壁３１０、３０５は、（必須ではないが）上壁３０４及び側壁３０６、３０８にほぼ垂直であることが好ましい。上壁３０４及び側壁３０６、３０８は集合的に、細長い本体３０２の全長に沿って延びる開口３１４（図１２）を形成し、これにより、スライダがファスナーストリップ２０６、２０８の長手方向の全長に沿って進む際に、ファスナーストリップ２０６、２０８がスライダ３００を通って進むことを可能にする。  
【００３１】
図１２〜１７にさらに示すように、スライダ３００はさらに、ほぼ対向する内向きのフランジまたはレール４１８、４２０を備えている。内向きフランジ４１８、４２０は側壁３０６、３０８に対してほぼ垂直に延びるが、このことは必要条件ではなく、他の角度も同等に用いることができる。さらに、フランジ４１８、４２０の末端はギャップ４２２を規定し、ギャップ４２２は、対向するファスナーストリップ２０６、２０８のシール部材、特に、少なくとも１つのフィンガー部材２４２及びその相補的なシール部２４０を有するシール部２３８を互いに押し付けて追加的度合いのシールをもたらすが、図１７に最も良く見られるように、まだ完全に組み合ってかみ合わないような寸法を有する。なお、上述した好適な実施例におけるように、側壁３０６、３０８は内向きの角度をなし、フランジ４１８、４２０も同様に（上壁３０４に平行な向きに対して）上向きの角度をなすことができる。現在好適な実施例では、ギャップ４２２は、ファスナーストリップ２０６、２０８が部分的にかみ合った状態である際に、これらの合計幅より小さいように設定される。現在好適な実施例の他の態様では、内向きフランジ４１８、４２０は前壁３１０内に形成することが好ましい。これと似たように、追加的な一対の内向きフランジ５１４、５１６を後壁５０１内に同様に配置し、これらの間にギャップ５１２が規定される。追加的な内向きフランジ５１４、５１６は、最初に述べた内向きフランジ４１８、４２０とほぼ同じように、側壁３０６、３０８のあらゆる角度に影響されることが好ましい。これらの内向フランジが、専らスライダ３００の端部の壁３１０、３０１内に配置されるのではなく、細長い本体３０２の全長に沿って延びることができることは、現在好ましくはないが、通常の当業者にとって明らかである。
【００３２】
スライダ３００をファスナーストリップ３０６、３０８上に保持するために、下向きのチャネル５０２、５０４を前壁３１０内に形成する。現在好適な実施例では、各下向きチャネル５０２、５０４はセパレータ３１２の側部３０６、３０８及びグリップレール５１０、５１２の上面によって規定される。同様に、下向チャネル５０２、５０４の形状４１０、４１２の結果は、対応するガイドレール５１２、５１０の形状にほぼ一致する。セパレータ３１２は、実際にシール部材２３４、２３６間に延びることなしに、対応するファスナーストリップ２０６、２０８のシール部材２３７、２３９の分離を誘発するように構成され、そうした寸法を備えている。スライダ３００がかみ合ったファスナーストリップ２０６、２０８を進むと、セパレータブロック３１２はファスナーストリップ２０６、２０８を離し、これにより袋２００を開ける。
【００３３】
図１４を参照すれば、後壁５０１は、追加的な下向きチャネル５０２、５０４をこの壁内に形成され、これらのチャネルはガイドレール５１０、５１２の形状にほぼ一致する形状５０６、５０８を有する。ここでも、ガイドレール５１０、５１２の突起５２０、５２２とかみ合う追加的なグリップレール８１０、８１２を設けて、スライダ３００をファスナーストリップ２０６、２０８上に保持する。前壁３１０とは対照に、後壁５０１は閉じゲート５１１、５１３を設けられ、閉じゲート５１１、５１３は、閉じゲート５１１、５１３の間に設けられた空間が第１ファスナーストリップ２０６のシール部２３４と第２ファスナーストリップ２０８の相補的なシール部２３６とを互いに押し付けるように構成され（図１６参照）、これにより、ファスナーストリップ２０６、２０８の間に組み合ってかみ合った状態を確立して、ほぼ漏れ止めのシールを提供する。
【００３４】
ここで図１６及び１７を参照しながら、ファスナーストリップ２０６、２０８と連動したスライダ３００の動作を、さらに説明する。特に、スライダ３００が閉じる向き２１４に移動すると、閉じゲート５１１、５１３はシール部材２３４、２３６の相補的なシール部を、図に示すように組み合った形にかみ合わせる。なお、ここでも、前述のように、内向きフランジ５１４、５１６は、ファスナーストリップ２０６、２０８上にスライダ３００を保持する役はほとんどしない。これとは対照的に、図１０に示すように、スライダ３００がファスナーストリップ２０６、２０８上を開く向き１０２に進むと、セパレータ３１２はシール部材２３４、２３６の複数の相補的なシール部２３８、２４０を離し、これにより袋を開ける。なお、ファスナーストリップ２０６、２０８に沿ったスライダ３００の位置、特にセパレータ３１２の位置で、シール部材２３４、２３６は部分的にかみ合った状態に維持され、この状態は従来技術の装置では、この位置で漏れを生じさせる。しかし、本発明によれば、内向きフランジ４１８、４２０、及びこれらの間に規定さる結果的なギャップ４２２の形状は、１つ以上のフィンガー部材２４２を、対向するシール部材の対応する部分とかみ合わせ、これにより、ファスナーストリップ２０６、２０８に沿ったスライダ３００の点に追加的な漏れ抵抗をもたらす。
【００３５】
図１８〜１９に見られるように、ファスナーストリップ及びチャック付き袋６００を開示し、袋６００は、第１壁６０２及び第２壁６０４、及び第１壁６０２及び第２壁６０４にそれぞれ取り付けられた細長いフレキシブルなファスナーストリップ６０８及び６１０によって規定される開口部６０６を有する。これらの壁の上部に隣接した所に、一方のファスナーストリップ６０８はこのストリップ内に形成された溝６１２を有し、他方のファスナーストリップ６１０は、前の図１〜５に示したリブとほぼ同様のリブ６１４を有する。リブ６１４の一部分は、袋の上部６０６を閉じると、溝６１２内に受け入れられて保持される。各ファスナーストリップ６０８及び６１０は、図１８に示すように、そして図１３と同様に、それぞれの基部６１６及び６１８を有する。各ファスナーストリップ６０８及び６１０は、それぞれの上縁６２０及び６２２を、図３に示すスライダと共に有する。スライダ３００ｂは長手方向の第１の向き６２４に移動して、リブ６１４を溝６０８から徐々に分離して袋を開くことができる。スライダ３００ｂは逆向き６２６に移動して、リブ６１４を溝６１２内に保持された状態に徐々に戻して袋６００を閉じることができる。図１９にさらに見られるように、クレードル６２８がファスナーストリップの一端６３０に近接して設けられている。クレードル６２８は、ファスナーストリップ６０８が相補的なシール部材の対応するシール部６３４、即ちリブ６１４とかみ合ってシールする間に、スライダ３００ｂの基部６３２を当該クレードル内に受け入れるように寸法決め、構成、及び配置されている。クレードル６２８の長さがスライダの長さより長く、スライダ３００ｂをクレードル６２８内に受け入れることが好ましい。図に示す実施例では、クレードル６２８がタブ６３６を有し、タブ６３６はクレードル６２８から約４５°の角度に延びて、スライダ３００ｂに接触してスライダ３００ｂをクレードル６２８内に保持する。
【００３６】
好適な実施例では、クレードルがほぼＣ字形であり、このＣ字形の中にスライダを保持する。Ｃ字形とは、凹形の内部、及びそこから１５〜３０°の角度に延びる１つ以上のタブを有してスライダに接し、スライダをクレードル内に保持することを意味する。タブ６３６の反対側には、曲面リップ（段差）６３８があり、このリップはスライダ３００ｂに接する。図１９にさらに見られるように、ファスナーストリップの端部はスポットシール部分６４０を有し、この部分内でファスナーストリップどうしが超音波シールまたは熱シールされて、袋の端部及びファスナーストリップの端部が漏れ止めになる。
【００３７】
図１９にさらに見られるように、好適な実施例では、クレードル６２８は９．７８mmの長さ及び３．３５mmの深さを有する。クレードルの基部は約２．０３mmである。もちろん、これらの寸法の全てに、０．２５mmまでの製造中の変動が生じる。
【００３８】
図に示す実施例では、クレードルの先端は０．０７mmの半径を有して、スライダ３００ｂが容易に通り過ぎることを可能にする。
【００３９】
本発明は特定の好適な実施例について説明してきたが、これに変形、代替、及び他の変更を加えることができ、これらは意図した本発明の範囲内に入ることは、当業者にとって明らかである。
【図１】
0005410298.tif 000002
【図２】
0005410298.tif 000003
【図３】
0005410298.tif 000004
【図４】
0005410298.tif 000005
【図５】
0005410298.tif 000006
【図６】
0005410298.tif 000007
【図７】
0005410298.tif 000008
【図８】
0005410298.tif 000009
【図９】
0005410298.tif 000010
【図１０】
0005410298.tif 000011
【図１１】
0005410298.tif 000012
【図１２】
0005410298.tif 000013
【図１３】
0005410298.tif 000014
【図１４】
0005410298.tif 000015
【図１５】
0005410298.tif 000016
【図１６】
0005410298.tif 000017
【図１７】
0005410298.tif 000018
【図１８】
0005410298.tif 000019
【図１９】
0005410298.tif 000020